(57)【要約】  【課題】面倒な操作を行うことなく複数の画像同士を同一の色温度で良好に比較し得る画像表示プログラム等を提供する。  【解決手段】複数の原画像に各係る表示画像を相互に比較し得るようにディスプレイ８ａ等に並べて表示する表示部７、上記表示画像の色温度を例えば撮影データや過去の設定色温度情報等に基づいて各表示画像毎に独立してまたは連動して設定し得る操作入力部１、この操作入力部１による設定に基づいて色温度を補正した表示画像を生成し、上記表示部７を介して上記ディスプレイ８ａ等に表示させるものであり、保存操作が行われたときには該表示画像の色温度と一致するように原画像の色温度も補正する表示色補正部６、としてコンピュータを機能させるための画像表示プログラム。【選択図】図１
2005080239.tif 000002
【特許請求の範囲】
【請求項１】
コンピュータを、
複数の原画像に各係る表示画像を、相互に比較し得るように、表示装置に表示する画像表示手段、
上記表示画像の色温度を設定するものであり、上記複数の表示画像の色温度を各表示画像毎に独立して設定することと、上記複数の表示画像の内の１つの表示画像の色温度が設定されたときに該複数の表示画像の内の他の少なくとも１つの表示画像の色温度を連動して設定することと、の何れかを選択して行い得る色温度設定手段、
この色温度設定手段による設定に基づいて、色温度を補正した表示画像を生成し、上記画像表示手段を介して上記表示装置に表示させる表示画像補正手段、
として機能させるための画像表示プログラム。
【請求項２】
上記色温度設定手段は、上記原画像に係る撮影情報に含まれる色温度情報に基づいて、上記表示画像の色温度を設定し得るものであることを特徴とする請求項１に記載の画像表示プログラム。
【請求項３】
コンピュータを、さらに、
上記画像表示手段により上記表示装置に表示されている表示画像の色温度と一致するように、該表示画像に対応する原画像の色温度を補正する原画像補正手段、
として機能させるための請求項１または請求項２に記載の画像表示プログラム。
【請求項４】
コンピュータを、さらに、
上記原画像補正手段により補正された原画像と、該補正された原画像の色温度情報と、を画像ファイル内に格納して保存する画像記憶手段、
として機能させるための請求項３に記載の画像表示プログラム。
【請求項５】
上記色温度設定手段は、原画像が上記原画像補正手段により補正された原画像であるときは、上記画像ファイル内に格納されている該補正された原画像の色温度情報に基づいて、上記表示画像の色温度を設定し得るものであることを特徴とする請求項４に記載の画像表示プログラム。
【請求項６】
上記色温度設定手段は、予め定められた複数の色温度の中から選択された色温度に基づいて、上記表示画像の色温度を設定し得るものであることを特徴とする請求項１に記載の画像表示プログラム。
【請求項７】
上記色温度設定手段は、上記複数の表示画像が第１の表示画像と第２の表示画像との２つであって、かつ、色温度を連動して設定する選択がなされている場合において、上記第１の表示画像から領域が選択されると、この選択された選択領域の色温度と、上記第２の表示画像における該選択された領域に対応する領域の色温度と、が略等しくなるように、該第１の画像の色温度を設定するものであることを特徴とする請求項１に記載の画像表示プログラム。
【請求項８】
コンピュータを、さらに、
上記画像表示手段により上記表示装置に表示している表示画像の色温度を、該表示装置に色温度情報として表示する色温度表示手段、
として機能させるための請求項１に記載の画像表示プログラム。
【請求項９】
上記色温度表示手段は、上記色温度情報の上記表示装置への表示を、表示と非表示とに切り替え可能なものであることを特徴とする請求項８に記載の画像表示プログラム。
【請求項１０】
複数の原画像に各係る表示画像を、相互に比較し得るように、表示装置に表示する画像表示手段と、
上記表示画像の色温度を設定するものであり、上記複数の表示画像の色温度を各表示画像毎に独立して設定することと、上記複数の表示画像の内の１つの表示画像の色温度が設定されたときに該複数の表示画像の内の他の少なくとも１つの表示画像の色温度を連動して設定することと、の何れかを選択して行い得る色温度設定手段と、
この色温度設定手段による設定に基づいて、色温度を補正した表示画像を生成し、上記画像表示手段を介して上記表示装置に表示させる表示画像補正手段と、
を具備したことを特徴とする画像表示装置。
【請求項１１】
複数の原画像に各係る表示画像を、相互に比較し得るように、表示装置に表示する画像表示ステップと、
上記表示画像の色温度を設定するものであり、上記複数の表示画像の色温度を各表示画像毎に独立して設定することと、上記複数の表示画像の内の１つの表示画像の色温度が設定されたときに該複数の表示画像の内の他の少なくとも１つの表示画像の色温度を連動して設定することと、の何れかを選択して行い得る色温度設定ステップと、
この色温度設定ステップによる設定に基づいて、色温度を補正した表示画像を生成し、上記表示装置に表示させる表示画像補正ステップと、
を含むことを特徴とする画像表示方法。
【発明の詳細な説明】
【技術分野】
【０００１】
本発明は、複数の画像を比較可能に表示し得る画像表示プログラム、画像表示装置、画像表示方法に関する。
【背景技術】
【０００２】
近年のインターネット技術の発達に伴って、ホームページに画像を掲載する需要が増しており、デジタル静止画像を手軽に撮影することができるデジタルカメラが広範に普及しつつある。こうした個人ユースの分野に限らず、報道写真や広告写真などのプロフェッショナルユースの分野においても、現像が不要で画像を通信により新聞社等に伝送できることや、画素数の多い撮像素子が開発されて銀塩写真にひけをとらない高精細な画像を撮影することが可能になりつつあること、撮影した写真を容易にデジタル加工することができることなどから、デジタルカメラは確固とした地位を築きつつある。
【０００３】
このようなデジタルカメラにより撮影された画像を、個人ユーザが例えば年賀状に使用するために選定したり、あるいはプロフェッショナルなカメラマンが雑誌等に掲載するために選定したりする際にも、銀塩カメラにより撮影された写真やフィルムにおいて行われていたのと同様に、複数枚の画像同士を並べて、これらを比較する作業が行われる。
【０００４】
このような比較を行うための技術の一例として、特開平１１−４５３３４号公報には、複数の画像に対応する複数組の画像データに基づいてディスプレイ装置に上記複数の画像を表示させる工程と、上記複数の画像の内の何れか１つを基準画像として選択する工程と、上記基準画像について所定の画像処理を施すための処理パラメータを設定する工程と、上記基準画像に関し、上記処理パラメータに基づいて上記所定の画像処理を実行し、上記所定の画像処理後の画像を上記ディスプレイ装置に表示させる工程と、上記複数の画像の内の上記基準画像を除いた画像に関して、上記処理パラメータに基づいて上記所定の画像処理を実行し、上記所定の画像処理後の画像を上記ディスプレイ装置に表示させる工程と、を備える画像の比較表示方法が記載されている。
【０００５】
こうして、並べて表示した複数の画像を連動させて、拡大／縮小、移動、領域切り出し、回転等の処理を行うことにより、選択された複数の画像を処理しながら比較する際の作業効率を高めるようにしたものとなっている。
【特許文献１】特開平１１−４５３３４号公報
【発明の開示】
【発明が解決しようとする課題】
【０００６】
しかしながら、上記特開平１１−４５３３４号公報に記載されたような、複数の画像を連動して拡大／縮小したり移動させたりする処理を行うだけでは、必ずしも画像同士を比較し易いといえない場合がある。すなわち、例えば同一の被写体を異なるデジタルカメラで撮像した場合には、それぞれの画像の色温度が異なることがあり、また、同一のデジタルカメラを用いる場合でも、時間によって光源の色が変化し、画像の色温度が異なってしまうことがあるためである。
【０００７】
画像同士を比較する場合に、こうした色温度の相違があっても良い場合もあるが、色温度の相違をなくして比較したい場合もあるために、このようなケースに対応して画像同士を比較し易い技術が求められている。
【０００８】
本発明は上記事情に鑑みてなされたものであり、面倒な操作を行うことなく複数の画像同士を同一の色温度で良好に比較し得る画像表示プログラム、画像表示装置、画像表示方法を提供することを目的としている。
【課題を解決するための手段】
【０００９】
上記の目的を達成するために、第１の発明による画像表示プログラムは、コンピュータを、複数の原画像に各係る表示画像を相互に比較し得るように表示装置に表示する画像表示手段、上記表示画像の色温度を設定するものであり上記複数の表示画像の色温度を各表示画像毎に独立して設定することと上記複数の表示画像の内の１つの表示画像の色温度が設定されたときに該複数の表示画像の内の他の少なくとも１つの表示画像の色温度を連動して設定することとの何れかを選択して行い得る色温度設定手段、この色温度設定手段による設定に基づいて色温度を補正した表示画像を生成し上記画像表示手段を介して上記表示装置に表示させる表示画像補正手段、として機能させるためのプログラムである。
【００１０】
また、第２の発明による画像表示プログラムは、上記第１の発明による画像表示プログラムにおいて、上記色温度設定手段が、上記原画像に係る撮影情報に含まれる色温度情報に基づいて、上記表示画像の色温度を設定し得るものである。
【００１１】
さらに、第３の発明による画像表示プログラムは、上記第１または第２の発明による画像表示プログラムにおいて、コンピュータを、さらに、上記画像表示手段により上記表示装置に表示されている表示画像の色温度と一致するように該表示画像に対応する原画像の色温度を補正する原画像補正手段、として機能させるためのプログラムである。
【００１２】
第４の発明による画像表示プログラムは、上記第３の発明による画像表示プログラムにおいて、コンピュータを、さらに、上記原画像補正手段により補正された原画像と該補正された原画像の色温度情報とを画像ファイル内に格納して保存する画像記憶手段、として機能させるためのプログラムである。
【００１３】
第５の発明による画像表示プログラムは、上記第４の発明による画像表示プログラムにおいて、上記色温度設定手段が、原画像が上記原画像補正手段により補正された原画像であるときは、上記画像ファイル内に格納されている該補正された原画像の色温度情報に基づいて、上記表示画像の色温度を設定し得るものである。
【００１４】
第６の発明による画像表示プログラムは、上記第１の発明による画像表示プログラムにおいて、上記色温度設定手段が、予め定められた複数の色温度の中から選択された色温度に基づいて、上記表示画像の色温度を設定し得るものである。
【００１５】
第７の発明による画像表示プログラムは、上記第１の発明による画像表示プログラムにおいて、上記色温度設定手段が、上記複数の表示画像が第１の表示画像と第２の表示画像との２つであって、かつ、色温度を連動して設定する選択がなされている場合において、上記第１の表示画像から領域が選択されると、この選択された選択領域の色温度と、上記第２の表示画像における該選択された領域に対応する領域の色温度と、が略等しくなるように、該第１の画像の色温度を設定するものである。
【００１６】
第８の発明による画像表示プログラムは、上記第１の発明による画像表示プログラムにおいて、コンピュータを、さらに、上記画像表示手段により上記表示装置に表示している表示画像の色温度を該表示装置に色温度情報として表示する色温度表示手段、として機能させるためのプログラムである。
【００１７】
第９の発明による画像表示プログラムは、上記第８の発明による画像表示プログラムにおいて、上記色温度表示手段が、上記色温度情報の上記表示装置への表示を、表示と非表示とに切り替え可能なものである。
【００１８】
第１０の発明による画像表示装置は、複数の原画像に各係る表示画像を相互に比較し得るように表示装置に表示する画像表示手段と、上記表示画像の色温度を設定するものであり上記複数の表示画像の色温度を各表示画像毎に独立して設定することと上記複数の表示画像の内の１つの表示画像の色温度が設定されたときに該複数の表示画像の内の他の少なくとも１つの表示画像の色温度を連動して設定することとの何れかを選択して行い得る色温度設定手段と、この色温度設定手段による設定に基づいて色温度を補正した表示画像を生成し上記画像表示手段を介して上記表示装置に表示させる表示画像補正手段と、を具備したものである。
【００１９】
第１１の発明による画像表示方法は、複数の原画像に各係る表示画像を相互に比較し得るように表示装置に表示する画像表示ステップと、上記表示画像の色温度を設定するものであり上記複数の表示画像の色温度を各表示画像毎に独立して設定することと上記複数の表示画像の内の１つの表示画像の色温度が設定されたときに該複数の表示画像の内の他の少なくとも１つの表示画像の色温度を連動して設定することとの何れかを選択して行い得る色温度設定ステップと、この色温度設定ステップによる設定に基づいて色温度を補正した表示画像を生成し上記表示装置に表示させる表示画像補正ステップと、を含む方法である。
【発明の効果】
【００２０】
本発明の画像表示プログラム、画像表示装置、画像表示方法によれば、面倒な操作を行うことなく複数の画像同士を同一の色温度で良好に比較することが可能となる。
【発明を実施するための最良の形態】
【００２１】
以下、図面を参照して本発明の実施例を説明する。
【実施例１】
【００２２】
図１から図７は本発明の実施例１を示したものであり、図１は、画像表示装置の構成を示すブロック図である。
【００２３】
この画像表示装置は、例えば、コンピュータにおいて、画像表示プログラムを実行することにより構成される装置となっている。従って、この図１においては、機能ブロックとして構成を示しているが、実際にはＣＰＵにより実行されたり、あるいはＣＰＵの制御の下に実行されたりするものとなっている。なお、これに限らず、専用のハードウェアにより、同等の機能を果たすようにしても構わないし、既存の装置を組み合わせたものにファイル取扱方法を適用することにより、同等の機能を果たすようにしても良いことは勿論である。
【００２４】
該画像表示装置は、例えば画面上に表示されている操作ボタンをマウス等によりポイントしてクリックするなどにより操作入力がなされるように構成された操作入力部１と、この操作入力部１からの操作入力に応じて画面の表示を設定するための表示設定部２と、この表示設定部２により設定された値を記憶すると共に後述するように撮影情報抽出部５からの撮影情報も記憶する表示設定メモリ３と、撮像装置からダウンロードにより入力されたりあるいはメモリカード等を介して入力された画像ファイルを格納しておく画像記憶手段たる画像メモリ４と、この画像メモリ４に記憶された画像ファイル（この画像ファイルのファイル構造については、後で、図４を参照して説明する。）から撮影情報（撮影データ）を抽出する情報抽出手段たる撮影情報抽出部５と、上記表示設定部２の設定に従って上記画像メモリ４の画像ファイルに含まれる原画像に基づいて表示画像を生成し、生成した表示画像の色温度を補正する表示画像補正手段であり、上記操作入力部１からの操作入力に応じて上記原画像の色温度が該表示画像の色温度と一致するように補正する原画像補正手段を兼ねた表示色補正部６と、上記表示設定部２の設定に従って上記表示色補正部６から出力される色温度補正後の表示画像を後述するディスプレイ８ａ，８ｂに表示するための画像表示手段であり色温度表示手段たる表示部７と、この表示部７の制御により画像やプログラム画面を表示するための表示装置たるディスプレイ８ａ，８ｂと、を有して構成されている。
【００２５】
なお、ディスプレイは、単一のディスプレイ８ａのみを用いても構わないし、あるいは複数のディスプレイ８ａ，８ｂを接続して各々に画像を表示し画像同士の比較等を行うようにしても構わない。
【００２６】
続いて、図２は、画像表示プログラムの画面を示す図である。
【００２７】
この画面は、例えばグラフィックユーザインターフェースを備えたマルチウィンドウタイプのオペレーティングシステム上で画像表示プログラムを実行したときの、１つのウィンドウとして表示される該画像表示プログラムの画面を示したものである。
【００２８】
ウィンドウ１１には、各種の操作ボタンが配列された操作ボタンエリア１１ａと、２つの画像を並べて表示し比較を行うためのバーチャルライトボックスエリア１１ｂと、上記画像メモリ４に記憶されている画像ファイルに係るサムネール画像を複数配列して表示するためのサムネールエリア１１ｃと、が表示される。
【００２９】
上記バーチャルライトボックスエリア１１ｂには、画像を表示する表示エリアがこの例では２つ、つまり略同じ大きさの表示エリア２１，２２として並べて設けられており、これらの表示エリア２１，２２には、表示している画像の色温度情報２３，２４が色温度表示手段たる表示部７によりそれぞれ表示され得るようになっている。これらの色温度情報２３，２４は、後述するように、表示と非表示とを切り替えることができるようになっている。
【００３０】
また、上記操作ボタンエリア１１ａには、上記表示エリア２１に係る操作を行うための操作ボタン類と、上記表示エリア２２に係る操作を行うための操作ボタン類と、両方の表示エリア２１，２２に係る操作またはこの画像表示プログラムに係る操作を行うための操作ボタン類と、が配置されている。まず、上記表示エリア２１に係る操作ボタン類は、該表示エリア２１に表示される画像のカラーバランスを例えば色温度やその他の設定値により設定するための色温度設定手段たるカラーバランス設定リストボックス１２と、上記色温度情報２３の表示／非表示を切り換えるための色温度情報表示／非表示ボタン１３と、該表示エリア２１に現在表示されている表示画像と同一のカラーバランスの原画像を生成して画像ファイルとして保存するための保存ボタン１４と、がある。同様に、上記表示エリア２２に係る操作ボタン類は、該表示エリア２２に表示される画像のカラーバランスを例えば色温度やその他の設定値により設定するための色温度設定手段たるカラーバランス設定リストボックス１７と、上記色温度情報２４の表示／非表示を切り換えるための色温度情報表示／非表示ボタン１８と、該表示エリア２２に現在表示されている表示画像と同一のカラーバランスの原画像を生成して画像ファイルとして保存するための保存ボタン１９と、がある。さらに、両方の表示エリア２１，２２に係る操作を行うための操作ボタンとして、一方の表示エリアにおける領域を選択すると該選択された領域に対応する他方の表示エリアの領域と同一の色温度となるように該選択された領域の色温度を補正するための選択した色に修正ボタン１５があり、また、この画像表示プログラムに係る操作を行うための操作ボタン類として、該画像表示プログラムを終了するための終了ボタン１６がある。
【００３１】
さらに、上記サムネールエリア１１ｃには、上記画像メモリ４に記憶されている画像ファイルに係るサムネール画像を表示するための表示エリア２５が複数配列して設けられている。
【００３２】
図３は、カラーバランス設定リストボックスによりリストアップされる選択項目の一例を示す図である。
【００３３】
上記カラーバランス設定リストボックス１２，１７を例えばマウス等を用いてポイントしてからクリックすると、この図３に示すようなリストがプルダウン表示されるようになっている。
【００３４】
この図に示す例では、３０００℃〜７５００℃までの範囲の色温度が５００℃刻みで選択可能となっており、さらに、表示している画像が撮影されたときの撮影時設定温度と、表示している画像に対してユーザにより設定された追加設定温度と、が選択可能であると共に、この表示エリア２１に対して比較を行っている対象となる表示エリア２２（この図３はカラーバランス設定リストボックス１２の表示例となっているために、ここではエリアＢと表示されているが、カラーバランス設定リストボックス１７の場合にはエリアＡと表示されることになる。）の設定を参照することも選択可能となっている。
【００３５】
続いて、図４は、画像データを格納する画像ファイルの構造を示す図である。
【００３６】
この画像ファイルは、原画像である画像データを格納すると共に、該画像データに係る撮影データと色温度とを、例えばヘッダとして格納する構造となっている。上記撮影データに含まれる情報としては、撮影日付、撮影時刻、撮像装置であるデジタルカメラの機種等の情報を含むと共に、さらに、撮影時の色温度設定の情報を含んでいる。また、上記撮影データとは別に、画像データに係る色温度情報がヘッダに格納されており、上記撮影データに含まれるのが撮影時に設定された色温度の情報であるのに対して、この色温度情報は、その後のユーザによる設定値などを格納するためのものである点が異なっている。
【００３７】
次に、上述したような画像表示プログラムによる処理について、図５から図７を参照して説明する。
【００３８】
まず、図５は、画像表示プログラムの処理の概要を示すフローチャートである。
【００３９】
この画像表示プログラムを開始すると、上記図２に示すような画面を表示する。なお、このときには、画像メモリ４に記憶されている画像ファイルのサムネール画像がサムネールエリア１１ｃに表示されているものとする。この状態で、画像の選択や上記操作ボタン類による操作がなされるのを待機する。
【００４０】
ここで、上記サムネールエリア１１ｃから画像が表示エリア２１または表示エリア２２へドラッグアンドドロップされる等により、表示する画像が選択され、かつ選択された画像を表示するエリアが選択されたときには（ステップＳ１）、後で図６を参照して説明するような選択画像表示の処理を行い（ステップＳ２）、実行後に上述したような各種の操作を待機する状態に戻る。
【００４１】
また、上記カラーバランス設定リストボックス１２，１７等の操作により設定の指示入力がなされたときには、その指示入力に応じた設定操作を後で図７を参照して説明するように行い（ステップＳ３）、上記表示エリア２１または／および表示エリア２２の画像表示を更新してから（ステップＳ４）、上述したような各種の操作を待機する状態に戻る。
【００４２】
さらに、上記保存ボタン１４，１９が操作されたことが検出されたときには（ステップＳ５）、原画像に、表示画像に対応する色温度補正を実施し（ステップＳ６）、色温度補正した原画像と色温度とを画像ファイルとして保存し（ステップＳ７）、上述したような各種の操作を待機する状態に戻る。
【００４３】
そして、上記終了ボタン１６が押されたことが検出されたときには（ステップＳ８）、この画像表示プログラムを完了する。
【００４４】
さらに、図６は、上記図５における選択画像表示の処理の詳細を示すフローチャートである。
【００４５】
この処理を開始すると、上記サムネールエリア１１ｃで選択されたサムネール画像に対応する原画像を含む画像ファイルを画像メモリ４から読み出し（ステップＳ１１）、この画像ファイルから撮影情報を抽出する（ステップＳ１２）。
【００４６】
次に、選択された画像の表示エリアが表示エリア２１である場合には上記カラーバランス設定リストボックス１２、また、選択された画像の表示エリアが表示エリア２２である場合には上記カラーバランス設定リストボックス１７、による表示色温度選択の選択値を検出する（ステップＳ１３）。
【００４７】
そして、表示色温度が撮影時に設定された温度となっているか否かを判断し（ステップＳ１４）、撮影時に設定された温度である場合には、原画像の画像ファイルの撮影データから撮影時に設定された色温度を表示色温度として読み出す（ステップＳ１５）。
【００４８】
また、上記ステップＳ１４において、表示色温度が撮影時に設定された温度でない場合には、次に、表示色温度が追加設定された温度であるか否かを判断する（ステップＳ１６）。ここで、追加設定された温度である場合には、撮影データとは異なるヘッダエリアに記憶されている色温度情報（図４参照）を、原画像の画像ファイルのヘッダから表示色温度として読み出す（ステップＳ１７）。
【００４９】
さらに、上記ステップＳ１６において、表示色温度が追加設定された温度でない場合には、表示色温度が現在着目している表示エリア以外の他の表示エリアを参照する設定となっているか否かを判断する（ステップＳ１８）。ここで、他の表示エリアを参照する設定となっている場合には、参照する対象となる表示エリアに現在設定されている色温度を表示色温度として検出する（ステップＳ１９）。
【００５０】
一方、上記ステップＳ１８において、他の表示エリアを参照する設定となっていない場合には、選択されている色温度を表示色温度として設定する（ステップＳ２０）。
【００５１】
上記ステップＳ１５，Ｓ１７，Ｓ１９，Ｓ２０の何れかにより表示色温度が設定されたら、その表示色温度で指定される色温度の表示画像を上記表示色補正部６が原画像から生成し（ステップＳ２１）、生成した表示画像を表示エリアに表示する（ステップＳ２２）。
【００５２】
その後、この選択画像表示の処理を完了して、上記図５に示した処理に戻る。
【００５３】
続いて、図７は、上記図５における設定操作の処理の詳細を示すフローチャートである。
【００５４】
この設定操作の処理を開始すると、行われた操作に応じて処理を分岐する。
【００５５】
まず、一方の表示エリアの画像の画素がマウスポイントされたことを検出し（ステップＳ３１）、次に、他方の表示エリアの画像の画素がマウスポイントされたことを検出し（ステップＳ３２）、さらに、選択した色に修正するボタン１５が押されたことを検出した場合には（ステップＳ３３）、最初にマウスポイントした画素（あるいは複数画素をまとめた領域）の色（領域の場合には色の平均値）が、２番目にマウスポイントした画素（あるいは複数画素をまとめた領域）の色（領域の場合には色の平均値）に一致するように、最初にマウスポイントした表示エリアに表示されている表示画像全体の色温度を修正した表示画像を生成する（ステップＳ３４）。
【００５６】
このステップＳ３４が終了するか、または、色温度表示選択が操作されたことを検出した場合には（ステップＳ３５）、上記色温度情報表示／非表示ボタン１３，１８が「色温度を表示」に設定されているか否かを判断し（ステップＳ３６）、少なくとも一方が設定されている場合には、設定されている表示エリアの表示画像の色温度を該表示エリア内に表示してから（ステップＳ３７）、何れも設定されていない場合には、各表示エリアに表示されている色温度を非表示にしてから（ステップＳ３８）、この設定操作の処理を完了して、上記図５に示した処理に戻る。
【００５７】
また、この設定操作を開始してから、表示色温度選択が操作されたことを検出した場合には（ステップＳ３９）、上記カラーバランス設定リストボックス１２，１７の表示項目を選択された項目に更新し（ステップＳ４０）、参照先の表示エリアの表示設定が、他の表示エリアを参照するものとなっているか否かを判断する（ステップＳ４１）。
【００５８】
ここで、他の表示エリアを参照する場合には、多重参照の警告を表示し（ステップＳ４２）、表示色温度選択リストを表示してから（ステップＳ４３）、上記ステップＳ４０の処理に戻る。
【００５９】
また、上記ステップＳ４１において、他の表示エリアを参照しない場合には、表示色温度選択操作された表示エリアに画像が表示されているか否かを判断する（ステップＳ４４）。
【００６０】
ここで、表示されている場合には、選択された項目で特定される色温度の画像を生成し（ステップＳ４５）、表示色温度選択操作された表示エリア以外の表示エリアで、表示色温度の設定が、操作した表示エリアに準じる選択になっているものがあるか否かを判断する（ステップＳ４６）。
【００６１】
このステップＳ４６において、表示色温度の設定が、操作した表示エリアに準じる選択になっているものがある場合には、該当する各エリアについて、色温度を変更した表示画像を生成してから（ステップＳ４７）、また、上記ステップＳ４４において表示色温度選択操作された表示エリアに画像が表示されていない場合、上記ステップＳ４６において表示色温度の設定が操作した表示エリアに準じる選択になっているものがない場合には、そのまま、この設定操作の処理を完了して、上記図５に示した処理に戻る。
【００６２】
なお、上述したような説明における複数の原画像は、同一の撮像装置で撮像されたもの、あるいは異なる撮像装置で撮像されたもの、の何れであっても構わない。
【００６３】
さらに、上記複数の表示画像は、上述したように、同一の表示装置に表示されたもの、あるいは、異なる表示装置に表示されたもの、の何れであっても構わない。異なる表示装置を用いる場合には、複数の表示装置におけるカラーマネージメントが予めなされていて、同じ色温度を設定したときには、同じ色で表示されるものとする。
【００６４】
このような実施例１によれば、複数の画像を並べて比較するときに、各画像の色温度が異なっていたとしても、各画像毎に独立して、あるいは複数の画像を連動して、色温度を調整することができるために、同じ色で比較を行うことが可能となる。
【００６５】
なお、本発明は上述した実施例に限定されるものではなく、発明の主旨を逸脱しない範囲内において種々の変形や応用が可能であることは勿論である。
【産業上の利用可能性】
【００６６】
本発明は、電子的な画像を比較するために並べて表示する際に、好適に利用することができる。
【図面の簡単な説明】
【００６７】
【図１】本発明の実施例１における画像表示装置の構成を示すブロック図。
【図２】上記実施例１における画像表示プログラムの画面を示す図。
【図３】上記実施例１において、カラーバランス設定リストボックスによりリストアップされる選択項目の一例を示す図。
【図４】上記実施例１における画像データを格納する画像ファイルの構造を示す図。
【図５】上記実施例１における画像表示プログラムの処理の概要を示すフローチャート。
【図６】上記実施例１の図５における選択画像表示の処理の詳細を示すフローチャート。
【図７】上記実施例１の図５における設定操作の処理の詳細を示すフローチャート。
【符号の説明】
【００６８】
１…操作入力部
２…表示設定部
３…表示設定メモリ
４…画像メモリ（画像記憶手段）
５…撮影情報抽出部（情報抽出手段）
６…表示色補正部（表示画像補正手段、原画像補正手段）
７…表示部（画像表示手段、色温度表示手段）
８ａ，８ｂ…ディスプレイ（表示装置）
１１…ウィンドウ
１１ａ…操作ボタンエリア
１１ｂ…バーチャルライトボックスエリア
１１ｃ…サムネールエリア
１２，１７…カラーバランス設定リストボックス（色温度設定手段）
１３，１８…色温度情報表示／非表示ボタン
１４，１９…保存ボタン
１５…選択した色に修正ボタン
１６…終了ボタン
２１，２２…表示エリア
２３，２４…色温度情報（色温度表示手段）
２５…表示エリア
代理人    弁理士      伊    藤      進
【図１】
2005080239.tif 000003
【図２】
2005080239.tif 000004
【図３】
2005080239.tif 000005
【図４】
2005080239.tif 000006
【図５】
2005080239.tif 000007
【図６】
2005080239.tif 000008
【図７】
2005080239.tif 000009